(57)【特許請求の範囲】
【請求項１】
登録ユーザが管理するユーザ端末からの依頼に応じて当該登録ユーザ専用のマイページを提供するマイページ提供サーバと、マイページを構成するマイページ情報を含むミラーページ情報を管理するミラーページ情報管理サーバと、検索キーワードに基づいて広告情報を検索する機能及び文章に含まれている文字の中から広告情報の検索に用いる検索キーワードである広告対応文字を決定する機能を有する広告情報検索サーバとを備えたマイページ提供システムであって、
前記マイページ提供サーバは、
前記ユーザ端末からのマイページ提供要求を受信したときに、その旨を前記ミラーページ情報管理サーバに通知するマイページ提供要求受信通知手段と、
前記ミラーページ情報管理サーバから取得した広告対応文字情報が示す広告対応文字を識別可能に前記ユーザ端末にマイページを提供するマイページ提供手段と、
前記マイページにおいて前記登録ユーザの操作によって選択された広告対応文字を示す広告対応文字選択通知を前記ユーザ端末から受信する広告対応文字選択通知受信手段と、
前記広告対応文字選択通知を前記ミラーページ情報管理サーバに転送する広告対応文字選択通知転送手段とを含み、
前記ミラーページ情報管理サーバは、
マイページ提供要求の受信の通知を前記マイページ提供サーバから受信したことに応じて、自己が管理しているミラーページ情報に含まれるマイページ情報の一部又は全部を前記広告情報検索サーバに提示して、提示したマイページ情報の一部又は全部が示す文章に応じて当該広告情報検索サーバにより決定された広告対応文字を示す広告対応文字情報と、当該広告対応文字を検索キーワードとして当該広告情報検索サーバにより検索された広告情報にリンクするためのリンク広告情報とを含む文字リンク広告情報を取得する文字リンク広告情報取得手段と、
取得した文字リンク広告情報に含まれる広告対応文字情報を前記マイページ提供サーバに送信する広告対応文字情報送信手段と、
前記マイページ提供サーバから前記広告対応文字選択通知を受信したことに応じて、受信した広告対応文字選択通知が示す広告対応文字を示す広告対応文字情報に対応するリンク広告情報を前記ユーザ端末に提示し、当該リンク広告情報によってリンクされる広告情報へのアクセス指示を行うアクセス指示手段とを含む
ことを特徴とするマイページ提供システム。
【請求項２】
前記ミラーページ情報管理サーバが含む文字リンク広告情報取得手段は、自己が管理しているミラーページ情報に含まれるマイページ情報の一部である前記マイページに掲載される情報を示すページ掲載情報を前記広告情報検索サーバに提示し、当該広告情報検索サーバによって前記ページ掲載情報に含まれる文字の中から選択された広告対応文字を示す広告対応文字情報と、当該広告対応文字について検索された広告情報にリンクするためのリンク広告情報とを含む文字リンク広告情報を取得する
請求項１記載のマイページ提供システム。
【請求項３】
前記ミラーページ情報管理サーバは、
前記ミラーページ情報を格納するミラーページ情報管理ＤＢと、
前記広告情報検索サーバから取得した文字リンク広告情報を、当該文字リンク広告情報に含まれる広告対応文字情報とリンク広告情報とを対応付けして前記ミラーページ情報を構成する情報として前記ミラーページ情報管理ＤＢに格納する文字リンク広告情報格納手段とを含む
請求項１または請求項２記載のマイページ提供システム。
【請求項４】
前記ミラーページ情報管理サーバは、前記アクセス指示手段によってアクセス指示を行ったあとに、前記ミラーページ情報管理ＤＢに格納されている前記ミラーページ情報に含まれている文字リンク広告情報を削除する文字リンク広告情報削除手段を含む
請求項３記載のマイページ提供システム。
【請求項５】
前記広告対応文字に対応付けされる前記リンク広告情報は、当該広告対応文字を検索キーワードとして前記広告情報検索サーバによって検索された広告情報にリンクするためのＵＲＬである
請求項１から請求項４のうちいずれかに記載のマイページ提供システム。
【請求項６】
登録ユーザが管理するユーザ端末からの依頼に応じて当該登録ユーザ専用のマイページを提供するマイページ提供サーバであって、
前記ユーザ端末からのマイページ提供要求を受信したときに、その旨をマイページを構成するマイページ情報を含むミラーページ情報を管理するミラーページ情報管理サーバに通知するマイページ提供要求受信通知手段と、
マイページ提供要求の受信の通知を受信したことに応じて前記ミラーページ情報に含まれるマイページ情報の一部又は全部を、検索キーワードに基づいて広告情報を検索する機能及び文章に含まれている文字の中から広告情報の検索に用いる検索キーワードである広告対応文字を決定する機能を有する広告情報検索サーバに提示することで、提示したマイページ情報の一部又は全部が示す文章に応じて当該広告情報検索サーバにより決定された広告対応文字を示す広告対応文字情報と当該広告対応文字を検索キーワードとして当該広告情報検索サーバにより検索された広告情報にリンクするためのリンク広告情報とを含む文字リンク広告情報を取得した前記ミラーページ情報管理サーバから取得した広告対応文字情報が示す広告対応文字を識別可能に、前記ユーザ端末にマイページを提供するマイページ提供手段と、
前記マイページにおいて前記登録ユーザの操作によって選択された広告対応文字を示す広告対応文字選択通知を前記ユーザ端末から受信する広告対応文字選択通知受信手段と、
前記マイページにおいて前記登録ユーザの操作によって選択された広告対応文字が示す広告対応文字情報に対応するリンク広告情報を前記ユーザ端末に提示させ当該リンク広告情報によってリンクされる広告情報へのアクセスを指示させるために、前記ミラーページ情報管理サーバに前記広告対応文字選択通知を転送する広告対応文字選択通知転送手段とを含む
ことを特徴とするマイページ提供サーバ。
【請求項７】
前記ミラーページ情報管理サーバは、
マイページ提供要求の受信の通知を前記マイページ提供サーバから受信したことに応じて、自己が管理しているミラーページ情報に含まれるマイページ情報の一部又は全部を前記広告情報検索サーバに提示して、提示したマイページ情報の一部又は全部が示す文章に応じて当該広告情報検索サーバにより決定された広告対応文字を示す広告対応文字情報と、当該広告対応文字を検索キーワードとして当該広告情報検索サーバにより検索された広告情報にリンクするためのリンク広告情報とを含む文字リンク広告情報を取得する文字リンク広告情報取得手段と、
取得した文字リンク広告情報に含まれる広告対応文字情報を前記マイページ提供サーバに送信する広告対応文字情報送信手段と、
前記マイページ提供サーバから前記広告対応文字選択通知を受信したことに応じて、受信した広告対応文字選択通知が示す広告対応文字を示す広告対応文字情報に対応するリンク広告情報を前記ユーザ端末に提示し、当該リンク広告情報によってリンクされる広告情報へのアクセス指示を行うアクセス指示手段とを含む
請求項６記載のマイページ提供サーバ。
【請求項８】
前記ミラーページ情報管理サーバが含む文字リンク広告情報取得手段は、自己が管理しているミラーページ情報に含まれるマイページ情報の一部である前記マイページに掲載される情報を示すページ掲載情報を前記広告情報検索サーバに提示し、当該広告情報検索サーバによって前記ページ掲載情報に含まれる文字の中から選択された広告対応文字を示す広告対応文字情報と、当該広告対応文字について検索された広告情報にリンクするためのリンク広告情報とを含む文字リンク広告情報を取得する
請求項７記載のマイページ提供サーバ。
【請求項９】
前記ミラーページ情報管理サーバは、
前記ミラーページ情報を格納するミラーページ情報管理ＤＢと、
前記広告情報検索サーバから取得した文字リンク広告情報を、当該文字リンク広告情報に含まれる広告対応文字情報とリンク広告情報とを対応付けして前記ミラーページ情報を構成する情報として前記ミラーページ情報管理ＤＢに格納する文字リンク広告情報格納手段とを含む
請求項６から請求項８のうちいずれかに記載のマイページ提供サーバ。
【請求項１０】
前記ミラーページ情報管理サーバは、前記アクセス指示手段によってアクセス指示を行ったあとに、前記ミラーページ情報管理ＤＢに格納されている前記ミラーページ情報に含まれている文字リンク広告情報を削除する文字リンク広告情報削除手段を含む
請求項９記載のマイページ提供サーバ。
【請求項１１】
前記広告対応文字に対応付けされる前記リンク広告情報は、当該広告対応文字を検索キーワードとして前記広告情報検索サーバによって検索された広告情報にリンクするためのＵＲＬである
請求項６から請求項１０のうちいずれかに記載のマイページ提供サーバ。
【発明の詳細な説明】
【技術分野】
【０００１】
本発明は、登録ユーザが管理するユーザ端末からの依頼に応じて当該登録ユーザ専用のマイページを提供するマイページ提供サーバと、マイページを構成するマイページ情報を含むミラーページ情報を管理するミラーページ情報管理サーバとを備えたマイページ提供システム、及び当該マイページ提供システムを構成するマイページ提供サーバに関する。
【背景技術】
【０００２】
従来から、通信ネットワーク上のウェブサイトにおいて様々なサービスが提供されるようになってきており、ウェブサイトにおける会員専用ページを意味するマイページを提供可能なシステムが各種提案されている（例えば、特許文献１−２参照）。
【０００３】
【特許文献１】特開２００７−４８１６５号公報
【特許文献１】特開２００７−１６４７１６号公報
【発明の開示】
【発明が解決しようとする課題】
【０００４】
上述した個人向けのマイページには、ＲＳＳ（Rich Site Summary）などの更新データフィールドを持ったウェブページによって構成されているものがあるが、このようなマイページにおいて、マイページ内に掲載されている文字などに関連した広告を自由に貼ることができない場合がある。例えば、マイページを提供するシステムにおいて、他の独立した広告提供システムを利用する場合に、その広告提供システム側で動的な環境での適切な広告提供を行うことができなくなるおそれがあることから、マイページ内に掲載されている文字などに関連した広告を自由に貼ることができない場合がある。
【０００５】
このような場合には、広告を自由に貼ることができる広告専用サイトを予め準備し、その広告の文言を抽出した文字をマイページの更新データフィールドに登録しておき、その抽出された文字が選択されたときに、広告が貼られている外部ＵＲＬの広告専用サイトにジャンプして、その広告専用サイトにて広告クリックを行うことで、広告サイトにアクセスされるようにしていた。
【０００６】
上記のように、マイページを提供するシステムにおいて他の独立した広告提供システムを利用してマイページに広告リンクさせる場合には、そのマイページにクリック式広告（バナー広告）を掲載することができず、マイページの掲載情報から円滑に広告を提供することができないという問題があった。
【０００７】
本発明は、上述した問題を解消し、マイページにクリック式広告を掲載することができ、マイページの掲載情報から円滑に広告を提供することができるようにすることを目的とする。
【課題を解決するための手段】
【０００８】
本発明のマイページ提供システムは、登録ユーザが管理するユーザ端末からの依頼に応じて当該登録ユーザ専用のマイページを提供するマイページ提供サーバと、マイページを構成するマイページ情報を含むミラーページ情報を管理するミラーページ情報管理サーバと、検索キーワードに基づいて広告情報を検索する機能及び文章に含まれている文字の中から広告情報の検索に用いる検索キーワードである広告対応文字を決定する機能を有する広告情報検索サーバとを備えたマイページ提供システムであって、前記マイページ提供サーバは、前記ユーザ端末からのマイページ提供要求を受信したときに、その旨を前記ミラーページ情報管理サーバに通知するマイページ提供要求受信通知手段と、前記ミラーページ情報管理サーバから取得した広告対応文字情報が示す広告対応文字を識別可能に前記ユーザ端末にマイページを提供するマイページ提供手段と、前記マイページにおいて前記登録ユーザの操作によって選択された広告対応文字を示す広告対応文字選択通知を前記ユーザ端末から受信する広告対応文字選択通知受信手段と、前記広告対応文字選択通知を前記ミラーページ情報管理サーバに転送する広告対応文字選択通知転送手段とを含み、前記ミラーページ情報管理サーバは、マイページ提供要求の受信の通知を前記マイページ提供サーバから受信したことに応じて、自己が管理しているミラーページ情報に含まれるマイページ情報の一部又は全部を前記広告情報検索サーバに提示して、提示したマイページ情報の一部又は全部が示す文章に応じて当該広告情報検索サーバにより決定された広告対応文字を示す広告対応文字情報と、当該広告対応文字を検索キーワードとして当該広告情報検索サーバにより検索された広告情報にリンクするためのリンク広告情報とを含む文字リンク広告情報を取得する文字リンク広告情報取得手段と、取得した文字リンク広告情報に含まれる広告対応文字情報を前記マイページ提供サーバに送信する広告対応文字情報送信手段と、前記マイページ提供サーバから前記広告対応文字選択通知を受信したことに応じて、受信した広告対応文字選択通知が示す広告対応文字を示す広告対応文字情報に対応するリンク広告情報を前記ユーザ端末に提示し、当該リンク広告情報によってリンクされる広告情報へのアクセス指示を行うアクセス指示手段とを含むことを特徴とする。
【０００９】
上記のように構成したことで、マイページにクリック式広告を掲載することができ、マイページの掲載情報から円滑に広告を提供することができるようになる。
【００１１】
前記ミラーページ情報管理サーバが含む文字リンク広告情報取得手段が、自己が管理しているミラーページ情報に含まれるマイページ情報の一部である前記マイページに掲載される情報を示すページ掲載情報を前記広告情報検索サーバに提示し、当該広告情報検索サーバによって前記ページ掲載情報に含まれる文字の中から選択された広告対応文字を示す広告対応文字情報と、当該広告対応文字について検索された広告情報にリンクするためのリンク広告情報とを含む文字リンク広告情報を取得する構成とされていてもよい。
【００１２】
前記ミラーページ情報管理サーバは、前記ミラーページ情報を格納するミラーページ情報管理ＤＢと、前記広告情報検索サーバから取得した文字リンク広告情報を、当該文字リンク広告情報に含まれる広告対応文字情報とリンク広告情報とを対応付けして前記ミラーページ情報を構成する情報として前記ミラーページ情報管理ＤＢに格納する文字リンク広告情報格納手段とを含む構成とされていてもよい。
【００１３】
前記ミラーページ情報管理サーバが、前記アクセス指示手段によってアクセス指示を行ったあとに、前記ミラーページ情報管理ＤＢに格納されている前記ミラーページ情報に含まれている文字リンク広告情報を削除する文字リンク広告情報削除手段を含む構成とされていてもよい。
【００１４】
前記広告対応文字に対応付けされる前記リンク広告情報は、例えば、当該広告対応文字を検索キーワードとして前記広告情報検索サーバによって検索された広告情報にリンクするためのＵＲＬである。
【００１５】
また、本発明のマイページ提供サーバは、登録ユーザが管理するユーザ端末からの依頼に応じて当該登録ユーザ専用のマイページを提供するマイページ提供サーバであって、前記ユーザ端末からのマイページ提供要求を受信したときに、その旨をマイページを構成するマイページ情報を含むミラーページ情報を管理するミラーページ情報管理サーバに通知するマイページ提供要求受信通知手段と、マイページ提供要求の受信の通知を受信したことに応じて前記ミラーページ情報に含まれるマイページ情報の一部又は全部を、検索キーワードに基づいて広告情報を検索する機能及び文章に含まれている文字の中から広告情報の検索に用いる検索キーワードである広告対応文字を決定する機能を有する広告情報検索サーバに提示することで、提示したマイページ情報の一部又は全部が示す文章に応じて当該広告情報検索サーバにより決定された広告対応文字を示す広告対応文字情報と当該広告対応文字を検索キーワードとして当該広告情報検索サーバにより検索された広告情報にリンクするためのリンク広告情報とを含む文字リンク広告情報を取得した前記ミラーページ情報管理サーバから取得した広告対応文字情報が示す広告対応文字を識別可能に、前記ユーザ端末にマイページを提供するマイページ提供手段と、前記マイページにおいて前記登録ユーザの操作によって選択された広告対応文字を示す広告対応文字選択通知を前記ユーザ端末から受信する広告対応文字選択通知受信手段と、前記マイページにおいて前記登録ユーザの操作によって選択された広告対応文字が示す広告対応文字情報に対応するリンク広告情報を前記ユーザ端末に提示させ当該リンク広告情報によってリンクされる広告情報へのアクセスを指示させるために、前記ミラーページ情報管理サーバに前記広告対応文字選択通知を転送する広告対応文字選択通知転送手段とを含むことを特徴とする。
【発明の効果】
【００１６】
本発明によれば、マイページにクリック式広告を掲載することができ、マイページの掲載情報から円滑に広告を提供することができるようになる。
【発明を実施するための最良の形態】
【００１７】
以下、本発明の一実施の形態について図面を参照して説明する。
図１は、本発明の一実施の形態に係る商品情報提供システム１００の構成の例を示すブロック図である。図１に示すように、商品情報提供システム１００は、商品情報提供サーバ１０と、マイページ提供サーバ２０と、ミラーページ管理サーバ３０と、広告情報提供サーバ４０と、ユーザ端末５１〜５Ｎ（Ｎ：任意の正の整数）とを含む。商品情報提供サーバ１０、マイページ提供サーバ２０、ミラーページ管理サーバ３０、広告情報提供サーバ４０、およびユーザ端末５１〜５Ｎは、それぞれ、例えばインターネットなどの通信ネットワーク６０に接続されている。
【００１８】
商品情報提供サーバ１０、マイページ提供サーバ２０、ミラーページ管理サーバ３０、および広告情報提供サーバ４０は、それぞれ、ＷＷＷサーバなどの情報処理装置によって構成される。また、ユーザ端末５１〜５Ｎは、それぞれ、パーソナルコンピュータなどの情報処理装置によって構成される。
【００１９】
商品情報提供サーバ１０は、例えば商品情報提供システム１００のシステム管理者によって管理されるサーバであり、商品が生産あるいは製造されたときにその商品に付与される商品識別コード（例えばＪＡＮコード）や各小売店にて使用されているインストアコードに対応付けされた商品情報を管理し、ユーザ端末５１〜５Ｎからの閲覧要求に応じて商品情報を提供する機能を有する。
【００２０】
商品情報提供サーバ１０は、商品情報が格納される商品情報管理ＤＢ１１を備えている。商品情報は、商品の生産履歴や流通履歴を含む商品履歴情報などのその商品に関わる各種の情報であり、例えば商品カルテに登録されている情報を意味する。商品カルテは、商品を一意に特定するための商品カルテ番号（商品識別コード）を含む。なお、商品情報管理ＤＢ１１は、商品情報提供サーバ１０の内部にあっても外部にあってもよい。
【００２１】
マイページ提供サーバ２０は、例えば商品情報提供システム１００のシステム管理者によって管理されるサーバであり、本システム１００の登録会員にそれぞれ付与されているマイページを管理し、登録会員からの要求に応じてその登録会員のマイページを提供する機能を有する。マイページ提供サーバ２０は、マイページに関する各種の情報を示すマイページ情報が格納されるマイページ情報管理ＤＢ２１を備えている。なお、マイページ情報管理ＤＢ２１は、マイページ提供サーバ２０の内部にあっても外部にあってもよい。
【００２２】
ミラーページ管理サーバ３０は、例えば商品情報提供システム１００のシステム管理者によって管理されるサーバであり、本システム１００の登録会員にそれぞれ付与されている各マイページに対応するミラーページを管理する機能を有する。各ミラーページは、それぞれ、各マイページに対応したものとなっており、ＲＳＳなどによるデータ更新フィールドを備えている。この各ミラーページは、それぞれ、ユーザに対して提供されることはなく、その内容がユーザによって閲覧されることはない。ミラーページ管理サーバ３０は、ミラーページに関する各種の情報を示すミラーページ情報が格納されるミラーページ情報管理ＤＢ３１を備えている。なお、ミラーページ情報管理ＤＢ３１は、ミラーページ管理サーバ３０の内部にあっても外部にあってもよい。
【００２３】
広告情報提供サーバ４０は、例えば商品情報提供システム１００とは別の広告情報提供システムのシステム管理者によって管理されるサーバであり、検索キーワードに基づき広告情報を検索する機能を有する。広告情報提供サーバ４０は、広告情報（例えば、広告が掲載されている広告サイトのＵＲＬなど）が格納される広告情報管理ＤＢ４１を備えている。なお、広告情報管理ＤＢ４１は、広告情報提供サーバ４０の内部にあっても外部にあってもよい。
【００２４】
ユーザ端末５１〜５Ｎは、それぞれ、本システム１００を利用するユーザによって管理される。ユーザ端末５１〜５Ｎを管理する各ユーザは、それぞれ、本システム１００に会員登録をしており、マイページが付与されているものとする。
【００２５】
図２は、商品情報提供サーバ１０が備える商品情報管理ＤＢ１１に格納される商品情報の例を示す説明図である。図２に示すように、商品情報は、該当する商品の商品名と、その商品に付与されている商品カルテ番号と、該当商品の生産履歴情報と、該当商品の流通履歴情報とを含む。
【００２６】
図３は、マイページ提供サーバ２０が備えるマイページ情報管理ＤＢ２１に格納されるマイページ情報の例を示す説明図である。図３に示すように、マイページ情報は、該当するマイページが付与されているユーザのユーザ名と、そのユーザに割り当てられているユーザＩＤと、ページ掲載情報と、広告対応文字情報とを含む。ページ掲載情報は、例えばＨＴＭＬ（HyperText Markup Language）やＸＭＬ（Extensible Markup Language）などのマークアップ言語によって作成された情報であって、該当するマイページに掲載されている情報の内容や、その掲載形式を含む情報である。広告対応文字情報は、該当するマイページに掲載される文字のうち、クリック広告の対応文字として用いられる文字を意味する。
【００２７】
図４は、ミラーページ管理サーバ３０が備えるミラーページ情報管理ＤＢ３１に格納されるミラーページ情報の例を示す説明図である。図４に示すように、ミラーページ情報は、対応するマイページ情報と同一の情報の他、リンク広告情報と、広告閲覧履歴情報とを含む。
【００２８】
次に、本例の商品情報提供システム１００の動作について説明する。
図５は、本例の商品情報提供システム１００におけるリンク広告情報提供処理の例を示すフローチャートである。ここでは、ユーザ端末５１を管理するユーザＡ（ユーザＩＤ：ＩＤ０１２３）のマイページに掲載されている文字がクリックされたことに応じて、クリックされた文字に関連する広告情報が掲載されたウェブページを提供する場合を例に説明する。
【００２９】
リンク広告情報提供処理において、先ず、マイページ提供サーバ２０は、ユーザ端末５１からのユーザＡのユーザＩＤを提示したマイページ提供要求を受信すると（ステップＳ１０１）、ユーザＡのユーザＩＤを提示したマイページ提供要求を受けた旨をミラーページ管理サーバ３０に通知する（ステップＳ１０２）。
【００３０】
ミラーページ管理サーバ３０は、ユーザＡのユーザＩＤを提示したマイページ提供要求を受けた旨の通知を受けると、ミラーページ情報管理ＤＢ３１に格納されているユーザＡのマイページ情報に含まれているページ掲載情報を広告情報提供サーバ４０に対して提示して、広告情報提供サーバ４０によって決定された広告対応文字情報およびリンク広告情報を取得する（ステップＳ２０１）。なお、ステップＳ２０１では、ミラーページ情報管理ＤＢ３１に格納されているユーザＡのマイページ情報を提示するようにしてもよいし、マイページ情報の一部であるページ掲載情報を提示するようにしてもよい。また、ページ掲載情報の全部でなく、その一部を提示するようにしてもよい。
【００３１】
広告情報提供サーバ４０は、ミラーページ管理サーバ３０からページ掲載情報を提示した依頼を受けると、そのページ掲載情報が示す文章に含まれている文字の中から広告対応文字とする文字を１又は２以上決定するとともに、広告情報管理ＤＢ４１を参照し、各広告対応文字を検索キーワードとしてそれぞれ検索された広告情報のＵＲＬを、各広告対応文字それぞれに対応するリンク広告情報とすることに決定する。そして、広告情報提供サーバ４０は、決定した広告対応文字情報及びリンク広告情報を、ミラーページ管理サーバ３０に送信する。
【００３２】
ミラーページ管理サーバ３０は、広告情報提供サーバ４０から広告対応文字情報及びリンク広告情報を受信すると、ユーザＡのミラーページ情報における広告対応文字情報格納エリアに受信した広告対応文字情報を格納するとともに、ユーザＡのミラーページ情報におけるリンク広告情報格納エリアに受信したリンク広告情報を格納する。また、ミラーページ管理サーバ３０は、広告情報提供サーバ４０から受信した広告対応文字情報を、マイページ提供サーバ２０に送信する（ステップＳ２０２）。
【００３３】
ミラーページ管理サーバ３０から広告対応文字情報を受信すると、マイページ提供サーバ２０は、受信した広告対応文字情報を、ユーザＡのマイページ情報における広告対応文字情報格納エリアに格納する（ステップＳ１０３）。
【００３４】
次に、マイページ提供サーバ２０は、マイページ情報管理ＤＢ２１に格納されているユーザＡのマイページ情報を読み出して、読み出したマイページ情報によって構成されるマイページをユーザ端末５１に提供する（ステップＳ１０４）。
【００３５】
ユーザ端末５１は、マイページ提供サーバ２０から取得したマイページを自己が備える図示しない表示装置の表示画面に表示する。マイページには、例えば図６に示すように、ユーザＩＤとユーザ名を表示する表示領域１０１と、ページ掲載情報に含まれている文章を表示する表示領域１０２とを含む各種の領域が設けられている。表示領域１０２に掲載されている文章における文字のうち、マイページ情報における広告対応文字情報に含まれている広告対応文字（ステップＳ１０３で格納した広告対応文字情報が示す広告対応文字）１０２ａ，１０２ｂ，１０２ｃは、図６に示すように、例えば他の文字と表示色や字の太さを異ならせたり、アンダーラインが付されていたりして、他の文字と識別可能に表示される。
【００３６】
ユーザ端末５１は、ユーザＡによる入力装置（例えばマウス）の操作により選択された広告対応文字を受け付けると、受け付けた広告対応文字をマイページ提供サーバ２０に通知する。すなわち、ユーザ端末５１は、マイページに掲載されている広告対応文字の選択を受け付けると、マイページ提供サーバ２０に対して、選択された広告対応文字を通知するための広告対応文字選択通知を行う。
【００３７】
マイページ提供サーバ２０は、広告対応文字選択通知を受信すると（ステップＳ１０５）、受信した広告対応文字選択通知をミラーページ管理サーバ３０に転送する（ステップＳ１０６）。そして、マイページ提供サーバ２０は、ユーザ端末５１がユーザＡのマイページからログアウトしたときに、マイページ情報を更新する（ステップＳ１０７）。ステップＳ１０７では、マイページ提供サーバ２０は、マイページ情報管理ＤＢ２１に格納されているマイページ情報に含まれている広告対応文字情報を削除する等の処理を行う。
【００３８】
マイページ提供サーバ２０からの広告対応文字選択通知を受信すると、ミラーページ管理サーバ３０は、ミラーページ情報管理ＤＢ３１に格納されているユーザＡのミラーページ情報に含まれているリンク広告情報（ステップＳ２０１にて取得したリンク広告情報）を参照し、受信した広告対応文字選択通知が示す選択された広告対応文字に対応付けされている広告サイトのＵＲＬを特定する（ステップＳ２０３）。
【００３９】
次いで、ミラーページ管理サーバ３０は、特定した広告サイトのＵＲＬを提示して、そのＵＲＬにアクセスするようユーザ端末５１にアクセス指示を行う（ステップＳ２０４）。そして、ミラーページ管理サーバ３０は、ミラーページ情報を更新する（ステップＳ２０５）。ステップＳ２０５では、ミラーページ管理サーバ３０は、ミラーページ情報管理ＤＢ３１に格納されているミラーページ情報に含まれている文字リンク広告情報（広告対応文字情報とリンク広告情報を含む情報）を削除する等の処理を行う。
【００４０】
ミラーページ管理サーバ３０からアクセス指示を受けると、ユーザ端末５１は、ミラーページ管理サーバ３０から提示されたＵＲＬにアクセスして広告サイトを取得し、自己が備える表示装置の表示画面に広告サイトを表示する。
【００４１】
広告サイトは、ユーザＡによって選択された広告対応文字に関係する内容が掲載されたものとなる。例えば、ユーザＡによって選択された広告対応文字が「じゃがいも」である場合には、例えば図７に示すように、じゃがいもの歴史が掲載された表示領域２０１や、じゃがいもを使用した商品が紹介されている表示領域２０２を含む農園のホームページがユーザ端末５１に広告サイトとして表示される。
【００４２】
以上に説明したように、上述した一実施の形態では、マイページ提供システム（商品情報提供システム１００）が、登録ユーザが管理するユーザ端末からの依頼に応じてその登録ユーザ専用のマイページを提供するマイページ提供サーバ２０と、マイページを構成するマイページ情報を含むミラーページ情報を管理するミラーページ情報管理サーバ（例えば、ミラーページ管理サーバ３０）とを備えており、マイページ提供サーバ２０が、ユーザ端末５１からのマイページ提供要求を受信したときに、その旨をミラーページ情報管理サーバに通知し、ミラーページ情報管理サーバから取得した広告対応文字情報が示す広告対応文字を識別可能にユーザ端末５１にマイページを提供し、マイページにおいて登録ユーザの操作によって選択された広告対応文字を示す広告対応文字選択通知をユーザ端末５１から受信し、その広告対応文字選択通知をミラーページ情報管理サーバに転送する構成とされており、ミラーページ情報管理サーバが、マイページ提供要求の受信の通知をマイページ提供サーバ２０から受信したことに応じて、自己が管理しているミラーページ情報に含まれるマイページ情報の一部又は全部を広告情報の検索機能を有する広告情報検索サーバ４０に提示して、広告情報が対応付けされることとされた広告対応文字を示す広告対応文字情報と、その広告対応文字について検索された広告情報にリンクするためのリンク広告情報とを含む文字リンク広告情報を取得し、取得した文字リンク広告情報に含まれる広告対応文字情報をマイページ提供サーバ２０に送信し、広告対応文字選択通知を受信したことに応じて、マイページにおいて登録ユーザの操作によって選択された広告対応文字が示す広告対応文字情報に対応するリンク広告情報をユーザ端末５１に提示し、そのリンク広告情報によってリンクされる広告情報へのアクセス指示を行う構成とされているので、マイページにクリック式広告を掲載することができ、マイページの掲載情報から円滑に広告を提供することができるようになる。
【００４３】
また、上述した実施の形態では、ミラーページ情報管理サーバ（例えば、ミラーページ管理サーバ３０）が、広告情報検索サーバ４０によって選択された広告対応文字を示す広告対応文字情報と、その広告対応文字について検索された広告情報にリンクするためのリンク広告情報とを含む文字リンク広告情報を取得する構成とされているので、広告情報検索サーバ４０を利用した迅速かつ的確な文字リンク広告情報を得ることができるようになる。
【００４４】
また、上述した実施の形態では、ミラーページ情報管理サーバ（例えば、ミラーページ管理サーバ３０）が、自己が管理しているミラーページ情報に含まれるマイページ情報の一部であるマイページに掲載される情報を示すページ掲載情報を広告情報検索サーバ４０に提示し、その広告情報検索サーバ４０によってページ掲載情報に含まれる文字の中から選択された広告対応文字を示す広告対応文字情報と、その広告対応文字について検索された広告情報にリンクするためのリンク広告情報とを含む文字リンク広告情報を取得する構成とされているので、広告情報検索サーバ４０を利用した迅速かつ的確な文字リンク広告情報を得ることができるようになる。
【００４５】
また、上述した実施の形態では、ミラーページ情報管理サーバ（例えば、ミラーページ管理サーバ３０）が、ミラーページ情報を格納するミラーページ情報管理ＤＢ３１を有し、広告情報検索サーバ４０から取得した文字リンク広告情報を、その文字リンク広告情報に含まれる広告対応文字情報とリンク広告情報とを対応付けしてミラーページ情報を構成する情報としてミラーページ情報管理ＤＢ３１に格納する構成とされているので、マイページの掲載情報から円滑に広告を提供することができるようになる。
【００４６】
また、上述した実施の形態では、ミラーページ情報管理サーバ（例えば、ミラーページ管理サーバ３０）が、アクセス指示を行ったあとに、ミラーページ情報管理ＤＢ３１に格納されているミラーページ情報に含まれている文字リンク広告情報を削除する構成とされているので、次回の処理に備えることが可能となる。
【００４７】
また、上述した実施の形態では、広告対応文字に対応付けされるリンク広告情報は、その広告対応文字を検索キーワードとして広告情報検索サーバ４０によって検索された広告情報にリンクするためのＵＲＬであるものとしていたが、広告情報（広告サイト）にアクセス可能な情報であればどのような情報であってもよい。
【産業上の利用可能性】
【００４８】
本発明によれば、マイページにクリック式広告を掲載し、マイページの掲載情報から円滑に広告を提供するのに有用である。
【図面の簡単な説明】
【００４９】
【図１】本発明の一実施の形態に係る商品情報提供システムの構成の例を示すブロック図である。
【図２】商品情報の例を示す説明図である。
【図３】マイページ情報の例を示す説明図である。
【図４】ミラーページ情報の例を示す説明図である。
【図５】広告情報提供処理の例を示すフローチャートである。
【図６】マイページの例を示す説明図である。
【図７】広告ページの例を示す説明図である。
【符号の説明】
【００５０】
１０        商品情報提供サーバ
１１        商品情報管理ＤＢ
２０        マイページ提供サーバ
２１        マイページ情報管理ＤＢ
３０        ミラーページ管理サーバ
２１        ミラーページ情報管理ＤＢ
４０        広告情報提供サーバ
４１        広告情報管理ＤＢ
５１〜５Ｎ  ユーザ端末
１００      商品情報提供システム（マイページ提供システム）
【図１】
0004986774.tif 000002
【図２】
0004986774.tif 000003
【図３】
0004986774.tif 000004
【図４】
0004986774.tif 000005
【図５】
0004986774.tif 000006
【図６】
0004986774.tif 000007
【図７】
0004986774.tif 000008